(57)【要約】【課題】  現在居る場所に応じて適切な応答メッセージを送出可能とし、ユーザの利便性を向上させる。【解決手段】  記憶部３には、ユーザが立ち寄るであろう場所（エリア）、例えば会社、学校、病院等に対応させて登録された、その場所で着信があった場合に相手に送出すべき応答メッセージが記憶される。制御部９は、留守番モードにおいて、着信があると、ＧＰＳ測位部２により現在の居所を測位し、現在位置が記憶部３に登録されている場合には、その登録場所に対応する応答メッセージを自動検索し、発信者側へ送出する。【選択図】    図１
2006157274.tif 000002
【特許請求の範囲】
【請求項１】
発信者からの着信を確認する着信確認手段と、メッセージを発信者に送信する送信手段とを有する携帯通信端末において、
前記着信確認手段により着信が確認されると、着信時の位置情報を取得する現在位置取得手段と、
複数のエリアと、該複数のエリアに対応させた複数のメッセージとを記憶するメッセージ記憶手段と、
前記現在位置取得手段により取得された現在位置が前記メッセージ記憶手段に記憶されている複数のエリアのいずれかのエリア内であるか否かを判定する判定手段と、
前記判定手段により現在位置が予め記憶されているエリア内であると判定された場合、該当エリアに対応するメッセージを発信者に送信する送信制御手段と
を具備することを特徴とする携帯通信端末。
【請求項２】
前記複数のエリアを地図情報に基づいて特定する特定手段を具備することを特徴とする請求項１記載の携帯通信端末。
【請求項３】
前記メッセージは、録音された音声、又はテキストからの音声変換された音声のいずれかであることを特徴とする請求項１または２記載の携帯通信端末。
【請求項４】
前記メッセージ記憶手段は、前記複数のエリアと関連しない通常メッセージを記憶し、
前記送信制御手段は、前記判定手段により現在位置が予め記憶されているエリア内でないと判定された場合、前記通常メッセージを発信者に送信することを特徴とする請求項１ないし３のいずれかに記載の携帯通信端末。
【請求項５】
発信者からの着信を確認すると、メッセージを発信者に送信する応答メッセージ送出方法において、
予め複数のエリアと、該複数のエリアに対応させた複数のメッセージとを登録しておき、着信が確認されると、着信時の位置情報を取得し、取得された現在位置が前記登録されている複数のエリアのいずれかのエリア内であるか否かを判定し、現在位置が予め記憶されているエリア内であると判定された場合、該当エリアに対応するメッセージを発信者に送信することを特徴とする応答メッセージ送出方法。
【請求項６】
前記複数のエリアと関連しない通常メッセージを予め登録しておき、現在位置が予め記憶されているエリア内でないと判定された場合、前記通常メッセージを発信者に送信することを特徴とする請求項５記載の応答メッセージ送出方法。
【発明の詳細な説明】
【技術分野】
【０００１】
本発明は、携帯通信端末および応答メッセージ送出方法に関する。
【背景技術】
【０００２】
従来、携帯通信端末においては、留守設定時の応答メッセージは、手動設定切り替え（固定メッセージ、ドライブメッセージ、オリジナル応答メッセージなど）しかできなかった。つまり、応答メッセージを一度設定してしまうと、着信があったときに、どのような状況、場所においても、設定した留守応答メッセージが相手に送出されてしまう。例えば運転中でなくても、ドライブモードメッセージが相手に送出されることもある。
【０００３】
そこで、携帯通信端末の場所を特定し、存在する場所に応じて、応答メッセージを自動的に切り替える技術が知られている。例えば、ＰＨＳシステムにおいて、無線基地局のＩＤを利用して、位置情報から端末の移動を予測して、それに応じて種々のアナウンスを自動的に応答する技術が提案されている（例えば特許文献１参照）。
【特許文献１】特開２００１−１８９９６６号公報
【発明の開示】
【発明が解決しようとする課題】
【０００４】
しかしながら、従来技術では、無線基地局のＩＤを用いてＰＨＳの移動を予測しているため、通常、ユーザは認識することができず、ユーザ側で病院や会社等の特定場所を指定することが困難であるという問題があった。
【０００５】
本発明は、このような事情を考慮してなされたものであり、その目的は、ユーザが指定する特定場所に応じて適切な応答メッセージを相手に送出することができ、ユーザの利便性を向上させることができる携帯通信端末および応答メッセージ送出方法を提供することにある。
【課題を解決するための手段】
【０００６】
上述した課題を解決するために、本発明は、発信者からの着信を確認する着信確認手段と、メッセージを発信者に送信する送信手段とを有する携帯通信端末において、前記着信確認手段により着信が確認されると、着信時の位置情報を取得する現在位置取得手段と、複数のエリアと、該複数のエリアに対応させた複数のメッセージとを記憶するメッセージ記憶手段と、前記現在位置取得手段により取得された現在位置が前記メッセージ記憶手段に記憶されている複数のエリアのいずれかのエリア内であるか否かを判定する判定手段と、前記判定手段により現在位置が予め記憶されているエリア内であると判定された場合、該当エリアに対応するメッセージを発信者に送信する送信制御手段とを具備することを特徴とする。
【０００７】
本発明は、上記の発明において、前記複数のエリアを地図情報に基づいて特定する特定手段を具備することを特徴とする。
【０００８】
本発明は、上記の発明において、前記メッセージは、録音された音声、又はテキストからの音声変換された音声のいずれかであることを特徴とする。
【０００９】
本発明は、上記の発明において、前記メッセージ記憶手段は、前記複数のエリアと関連しない通常メッセージを記憶し、前記送信制御手段は、前記判定手段により現在位置が予め記憶されているエリア内でないと判定された場合、前記通常メッセージを発信者に送信することを特徴とする。
【００１０】
また、上述した課題を解決するために、本発明は、発信者からの着信を確認すると、メッセージを発信者に送信する応答メッセージ送出方法において、予め複数のエリアと、該複数のエリアに対応させた複数のメッセージとを登録しておき、着信が確認されると、着信時の位置情報を取得し、取得された現在位置が前記登録されている複数のエリアのいずれかのエリア内であるか否かを判定し、現在位置が予め記憶されているエリア内であると判定された場合、該当エリアに対応するメッセージを発信者に送信することを特徴とする。
【００１１】
本発明は、上記の発明において、前記複数のエリアと関連しない通常メッセージを予め登録しておき、現在位置が予め記憶されているエリア内でないと判定された場合、前記通常メッセージを発信者に送信することを特徴とする。
【発明の効果】
【００１２】
この発明によれば、複数のエリアと、該複数のエリアに対応させた複数のメッセージとをメッセージ記憶手段に記憶しておき、前記着信確認手段により着信が確認されると、現在位置取得手段により、着信時の位置情報を取得し、判定手段により、現在位置が前記複数のエリアのいずれかのエリア内であるか否かを判定し、現在位置がいずれかのエリア内であると判定された場合、送信制御手段により、該当エリアに対応するメッセージを発信者に送信する。したがって、ユーザが指定する特定場所に応じて適切な応答メッセージを相手に送出することができ、ユーザの利便性を向上させることができるという利点が得られる。
【発明を実施するための最良の形態】
【００１３】
以下、本発明の一実施形態による携帯通信端末を、図面を参照して説明する。
図１は、本発明の実施形態による形態通信端末を示すブロック図である。図において、通信処理部１は、アンテナＡＮＴ１を介して、無線により音声通信やデータ通信を行う。特に、本実施形態では、留守番モードに設定されている場合に着信すると、着信時の居所に応じた応答メッセージや留守番メッセージを相手（発信者側）へ送信する。ＧＰＳ測位部２は、上空約２万kmを周回する２４個のＧＰＳ衛星のうち、４個以上のＧＰＳ衛星からの距離を同時に知ることにより、自分の位置等を決定する。ＧＰＳ衛星からの距離は、ＧＰＳ衛星から発信された電波をアンテナＡＮＴ２で受信し、受信機に到達するまでに要した時間から算出する。記憶部３は、ユーザにより予め設定された、例えば、会社、学校、病院等の複数のエリアを示すエリア情報、該複数のエリアの各々に対応した複数の応答メッセージ、上記複数のエリアに関連しない通常の留守番メッセージなどを記憶する。また、エリア情報は、地図情報に基づいて特定される。
【００１４】
表示部４は、液晶表示器などからなる。音声処理部５は、通話時の相手の音声をアナログ化してスピーカ６から音声出力したり、マイク７から入力される通話時のユーザの音声をデジタル化して取り込んだりする。なお、応答メッセージや留守番メッセージは、音声録音、テキストからの音声変換のいずれかによるものである。キー入力部８は、テンキーや各種機能キーからなり、ユーザからの指示、発信時の電話番号などを入力する。制御部９は、上記各部を制御し、特に、本実施形態では、エリアと応答メッセージの登録処理や留守番モードでの応答メッセージ送出処理などを実行する。
【００１５】
次に、上述した実施形態の動作について説明する。
（１）応答メッセージ登録処理
まず、応答メッセージ登録処理について説明する。ここで、図２は、本実施形態による携帯通信端末の応答メッセージ登録処理を説明するためのフローチャートである。携帯通信端末に電源が投入されると、通常待受状態になる（Ｓ１０）。次に、測位計測が可能であるか判断し（Ｓ１２）、測位計測が可能であれば、現在の居所をＧＰＳ測位部２により計測して、現在の居所を中心とする地図情報を表示部４に表示する（Ｓ１４）。なお、地図情報は、記憶部３に記憶しておいてもよいが、ネットワーク上のサーバなどからダウンロードしてもよい。また、現在の居所以外でも、住所や（最寄）駅名、緯度、経度等を入力することにより地図情報を表示することができる。
【００１６】
次に、ユーザが立ち寄るであろう場所（エリア）、例えば会社、学校、病院等を上記地図上で選択する（Ｓ１６）。次に、そのエリアで送出すべき応答メッセージを設定する（Ｓ１８）。応答メッセージは、予め記憶部３に記憶されている固定応答メッセージ、マイク７から入力・録音しておいた録音によるオリジナルメッセージ、キー入力部８から入力して登録しておいたテキスト文（出力時に音声合成）の中から選択可能とすることができる。エリアと該エリアに対応する応答メッセージは、記憶部３に対応付けられて記憶される。
【００１７】
次に、他の場所（エリア）について登録するか否かを判断し（Ｓ２０）、他の場所についても登録する場合には、ステップＳ１６へ戻り、上述した登録を繰り返す。一方、他の場所について登録しなければ、登録完了として当該処理を終了する。また、地図を表示させなくても、住所や駅名、緯度、経度等を直接入力して登録しても良い。
【００１８】
例えば、エリアとして会社を登録した場合には、応答メッセージとして「ただいま仕事中（会議中）ですので、後でこちらからおかけ直しします。……」を登録する。また、エリアとして学校を登録した場合には、応答メッセージとして「ただいま学校ですので、後でこちらからおかけ直しします。……」を登録する。また、エリアとして病院を登録した場合には、応答メッセージとして「ただいま病院ですので、診察が終わり次第ご連絡いたします。…」を登録する。
【００１９】
（２）着信時処理
次に、着信時の処理について説明する。ここで、図３は、本実施形態による携帯通信端末の着信時処理を説明するためのフローチャートである。携帯通信端末では、待受中に、ＧＰＳ測位部２により現在の居所を測位する（Ｓ３０）。なお、該ＧＰＳ測位の詳細については後述する。次に、着信があったか否かを判断し（Ｓ３２）、着信がなければ、上記測位を所定間隔で実行し、自身の位置を更新する。そして、着信があると、留守番モードに設定されているか否かを判断し（Ｓ３４）、留守番モードに設定されていなければ、通常着信処理へ進む（Ｓ３６）。
【００２０】
一方、留守番モードに設定されていれば、着信時の測位が可能であるか否かを判断し（Ｓ３８）、建物の中などに居て測位が不可能であれば、直近に測位した計測値を現在位置とする（Ｓ４０）。一方、測位可能であれば、ＧＰＳ測位部２により現在の居所を測位する。次に、現在位置が記憶部３のエリア情報として登録されているか否かを判断する（Ｓ４２）。登録の有無は、エリア情報として登録されている測位情報と、着信時の測位情報との差が所定範囲内（例えば１００ｍ以内）であれば、登録有りと判断する。
【００２１】
そして、着信時の現在位置がエリア情報として登録されていない場合には、記憶部３に記憶されている通常の留守番メッセージを発信者側に送出する（Ｓ４４）。一方、着信時の現在位置がエリア情報として登録されている場合には、そのエリア情報に対応する応答メッセージを自動検索し（Ｓ４６）、発信者側へ送出する（Ｓ４８）。
【００２２】
例えば、現在、会社に居る場合には、応答メッセージとして「ただいま仕事中（会議中）ですので、後でこちらからおかけ直しします。……」が自動的に送出される。また、学校に居る場合には、応答メッセージとして「ただいま学校ですので、後でこちらからおかけ直しします。……」が自動的に送出される。また、病院に居る場合には、応答メッセージとして「ただいま病院ですので、診察が終わり次第ご連絡いたします。…」が自動的に送出される。
【００２３】
（３）ＧＰＳ測位処理
次に、上述したステップＳ３０で説明した、待受中におけるＧＰＳ測位処理について説明する。ここで、図４は、上記ＧＰＳ測位処理を説明するためのフローチャートである。まず、ＧＰＳ測位部２により、待受中に測位を行う（Ｓ５０）。次に、タイマを起動する（Ｓ５２）。そして、タイマがタイムアウトすると（Ｓ５４）、再度、ＧＰＳ測位部２により測位を行い（Ｓ５６）、測位可能であるか否かを判断する（Ｓ５８）。ここで、建物内などに居る場合など、測位不可能であれば、ステップＳ５２へ戻り、再び、タイマを起動し、タイムアウトになると、測位を行う。すなわち、所定時間間隔で測位を繰り返す。そして、測位が可能になると、測位情報（位置情報）を記憶部３に保存する（Ｓ６０）。
【００２４】
上述した実施形態によれば、携帯通信端末の位置情報（ＧＰＳなど）を利用することで、相手からの着信があった際の自己の位置情報（測位不可能な場合には直近に測位した位置情報）により現在の場所を特定し、事前に位置情報（エリア）に対応させて登録しておいた、その場所に適切な応答メッセージを自動的に相手に送出することができる。特に、自動車等を運転中の携帯電話の使用が法律で規制される状況においては、従来、手動でドライブモードに切り替えていたが、本発明によれば、高速移動中（測位可能な場合であって、位置情報の時間的変異量の大きい場合）などでは、自動的にドライブモードに切り替えることができ、ユーザの利便性を向上させることができる。
【００２５】
なお、上述した実施形態においては、制御部９などは、コンピュータシステム内で実行される。そして、上述した制御部９による一連の処理の過程は、プログラムの形式でコンピュータ読み取り可能な記録媒体に記憶されており、このプログラムをコンピュータが読み出して実行することによって、上記処理が行われる。すなわち、制御部９における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００２６】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００２７】
【図１】本発明の実施形態による形態通信端末を示すブロック図である。
【図２】本実施形態による携帯通信端末の応答メッセージ登録処理を説明するためのフローチャートである。
【図３】本実施形態による携帯通信端末の着信時処理を説明するためのフローチャートである。
【図４】本実施形態による携帯通信端末の待受中におけるＧＰＳ測位処理について説明する。
【符号の説明】
【００２８】
１  通信処理部（着信確認手段）           ２  ＧＰＳ測位部（現在位置取得手段）
３  記憶部（メッセージ記憶手段）         ４  表示部
５  音声処理部                         ６  スピーカ
７  マイク                             ８  キー入力部
９  制御部（判定手段、送信制御手段、特定手段）
【図１】
2006157274.tif 000003
【図２】
2006157274.tif 000004
【図３】
2006157274.tif 000005
【図４】
2006157274.tif 000006